(57)【要約】【課題】  コンテンツを配信するシステムの処理能力に応じた負荷分散が可能なネットワークサービス提供システム及びネットワークサービス配信方法を提供する。【解決手段】  ネットワークサービス提供システム１へ一斉にアクセスが集中する場合でも、再アクセス要求時間発行部７が、時間を所定の間隔に分割した再アクセス要求時間を生成し、再アクセス要求時間データ８を各ユーザ端末３にリアルタイムに発行し、ユーザ端末３はそれに従ってコンテンツ配信要求することによって、ネットワークサービス提供システム１への極端な負荷集中を回避することができる。【選択図】  図１
2007299229.tif 000002
【特許請求の範囲】
【請求項１】
ＩＰ網に接続され複数のユーザ端末からのコンテンツデータの配信要求を受信し前記ユーザ端末からの配信要求のアクセス数を監視し、前記アクセス数と所定の閾値とを比較するユーザアクセス監視手段と、
前記のユーザ端末に前記コンテンツデータを配信するデータ配信手段と、
前記コンテンツデータを記憶し前記データ配信手段へ前記コンテンツデータを供給するコンテンツデータ記憶手段と、
前記アクセス数が前記閾値を超えたとき、前記ユーザ端末が前記コンテンツデータの配信要求をするために後で再びアクセスし直すことを要求する再アクセス要求時間を生成し前記ユーザ端末に発行する再アクセス要求時間発行手段と
を有することを特徴とするネットワークサービス提供システム。
【請求項２】
前記再アクセス要求時間発行手段は、所定の時間間隔における前記アクセス数が前記閾値の範囲内になるように前期再アクセス要求時間を生成することを特徴とする請求項１記載のネットワークサービス提供システム。
【請求項３】
前記ユーザ端末が前記コンテンツデータの配信要求をするために要求した所定の時間に再アクセスする権利があるかどうかを認証するためのアクセス鍵を生成し、前記ユーザ端末に前記アクセス鍵を発行するアクセス鍵発行手段と、
前記アクセス鍵発行手段によって生成された前記アクセス鍵のデータを格納するアクセス鍵データ記憶手段と、
前記ユーザアクセス監視手段が前記ユーザ端末から受信した前記アクセス鍵のデータが要求した所定の時間に再アクセスする権利があるかどうかを検査するアクセス鍵検査手段と
を有することを特徴とする請求項１記載のネットワークサービス提供システム。
【請求項４】
前記再アクセス要求時間発行手段は、所定の時間間隔における前記アクセス数が前記閾値の範囲内になるように前期再アクセス要求時間を生成することを特徴とする請求項３記載のネットワークサービス提供システム。
【請求項５】
ＩＰ網に接続され複数のユーザ端末からのコンテンツデータの配信要求を受信し前記ユーザ端末からの配信要求のアクセス数を監視し、前記アクセス数と所定の閾値とを比較する工程と、
前記アクセス数が前記閾値を超えたとき、前記ユーザ端末がコンテンツデータの配信要求するために再びアクセスすることを許可する再アクセス要求時間を生成する工程と、
前記再アクセス要求時間をユーザ端末に発行する工程と、
前記アクセス数が前記閾値の超えないとき、前記ユーザ端末にコンテンツデータを配信する工程と
を有し、
前記再アクセス要求時間は、所定の時間間隔における前記アクセス数が前記閾値の範囲内になるように生成されたことを特徴とするネットワークサービス配信方法。
【請求項６】
前記アクセス数が前記閾値を超えたとき、前記ユーザ端末が前記コンテンツデータの配信要求をするために指定した時間に再アクセスする権利があるかどうかを認証するためのアクセス鍵を生成する工程と、
前記アクセス鍵を前記ユーザ端末に発行する工程と、
前記アクセス鍵のデータを格納するためのアクセス鍵データ記憶手段に前記アクセス鍵のデータを格納する工程と、
前記ユーザ端末から受信した前記アクセス鍵のデータが要求した所定の時間に再アクセスする権利があるかどうかを検査する工程と
を有することを特長とする請求項５記載のネットワークサービス配信方法。
【発明の詳細な説明】
【技術分野】
【０００１】
本発明は、ネットワークサービスである各種コンテンツ配信において負荷を分散させるネットワークサービス提供システム及びネットワークサービス配信方法に関する。
【背景技術】
【０００２】
近年ＡＤＳＬ（Asymmetric Digital Subscriber Line）やＦＴＴＨ（Fiber To The Home）等の環境整備により、高速なインターネットやＩＰ（Internet Protocol）網のネットワークサービス、いわゆるブロードバンドが普及し、また映像や音楽などのコンテンツを配信するサービスが拡充され、ユーザがＩＰ網に接続されたパーソナルコンピュータやデジタルテレビジョン等の端末を操作して、映像や音楽などのコンテンツを取得して鑑賞することが一般化している。
【０００３】
図５は、従来からのネットワークサービスにおけるネットワークサービス提供システム１０１の一例を示すブロック図である。複数のユーザ端末１０３がＩＰ網１０２に接続されており、ＩＰ網１０２を介して、ネットワークサービス提供システム１０１にアクセスし、ネットワークサービス提供システム１０１からコンテンツの配信を受けている。
【０００４】
従来は、ブロードバンド放送等の仕様上或いは運用上の都合により、ユーザ端末１０３からネットワークサービス提供システム１０１へのアクセスが特定の時間帯に集中するような場合には、ネットワークサービス提供システム１０１の負荷が過大となって通信障害が発生するという問題があった。
【０００５】
この問題を解決するために、例えば、予め分散した特定コンテンツへのアクセス許可時間と対応した認証コードをユーザ端末１０３に発行し、それらをユーザデータベースに蓄積しておき、ユーザ端末１０３から特定コンテンツに対するアクセスに対して予め発行しておいた認証コードとアクセス許可時間をユーザデータベースと照合し、合致する場合においてのみ特定コンテンツへのアクセスを許可することによって特定コンテンツへのアクセスを時間的に分散する方法が考案されている。（例えば特許文献１）
【特許文献１】特開２００１−２８２６２２号公報
【発明の開示】
【発明が解決しようとする課題】
【０００６】
上記のような方法では予め分散したアクセス許可時間と対応した認証コードをユーザ端末に発行すると共にそれをユーザデータベースに蓄積しておく必要があった。しかしながらコンテンツの多様化に伴ってコンテンツの種類や数量が増大し、またコンテンツの中にはニュースのように緊急を要する番組やスポーツ番組のように競技終了直後に編集し短時間のうちに配信する場合など事前準備する余裕の無い番組が増加してきた。また地域ＩＰ網を使用して映像や音声を配信するデジタルテレビジョン放送の番組や番組に関連した情報を配信するような場合においては、事前にユーザ端末に対して認証コードを発行するような送受信の形態はそぐわない。
【０００７】
このような事情から事前準備を必要とせず、しかもアクセス集中による障害が発生しないようにコンテンツを配信するシステムの処理能力に応じた負荷分散が可能なネットワークサービス提供システムが求められている。
【０００８】
本発明は上記問題点を解決するためになされたもので、コンテンツを配信するシステムの処理能力に応じた負荷分散が可能なネットワークサービス提供システム及びネットワークサービス配信方法を提供することを目的とする。
【課題を解決するための手段】
【０００９】
上記目的を達成するために、本発明のネットワークサービス提供システムは、ＩＰ網に接続され複数のユーザ端末からのコンテンツデータの配信要求を受信し前記ユーザ端末からの配信要求のアクセス数を監視し、前記アクセス数と所定の閾値とを比較するユーザアクセス監視手段と、  前記のユーザ端末に前記コンテンツデータを配信するデータ配信手段と、  前記コンテンツデータを記憶し前記データ配信手段へ前記コンテンツデータを供給するコンテンツデータ記憶手段と、  前記アクセス数が前記閾値を超えたとき、前記ユーザ端末が前記コンテンツデータの配信要求をするために後で再びアクセスし直すことを要求する再アクセス要求時間を生成し前記ユーザ端末に発行する再アクセス要求時間発行手段とを有することを特徴とする。
【００１０】
また、本発明のネットワークサービス配信方法は、ＩＰ網に接続され複数のユーザ端末からのコンテンツデータの配信要求を受信し前記ユーザ端末からの配信要求のアクセス数を監視し、前記アクセス数と所定の閾値とを比較する工程と、前記アクセス数が前記閾値を超えたとき、前記ユーザ端末がコンテンツデータの配信要求するために再びアクセスすることを許可する再アクセス要求時間を生成する工程と、前記再アクセス要求時間をユーザ端末に発行する工程と、前記アクセス数が前記閾値の超えないとき、前記ユーザ端末にコンテンツデータを配信する工程とを有し、前記再アクセス要求時間は、所定の時間間隔における前記アクセス数が前記閾値の範囲内になるように生成されたことを特徴とする。
【発明の効果】
【００１１】
本発明によれば、ネットワークサービス提供システムの負荷を分散し安定したコンテンツの配信を行うことが可能になる。
【発明を実施するための最良の形態】
【００１２】
以下本発明の実施例について図面を参照しながら説明する。
【実施例１】
【００１３】
図１は、本発明によるネットワークサービス提供システム１の構成を示すブロック図である。ネットワークサービス提供システム１はＩＰ網２に接続されており、ＩＰ網２に接続された複数のユーザ端末３が、ＩＰ網２を介してネットワークサービス提供システム１にアクセスし、コンテンツの配信を要求し、ネットワークサービス提供システム１からコンテンツの配信を受ける。
【００１４】
図１においてネットワークサービス提供システム１はユーザアクセス監視部４、データ配信部５、データファイル６と再アクセス要求時間発行部７とから構成される。ユーザアクセス監視部４はユーザ端末３からのコンテンツ配信要求を受けると共にユーザ端末３からのアクセス数がどの程度かといったアクセス状況を監視するユーザアクセス監視手段である。データ配信部５はユーザ端末３からの要求に応じて該当するデータをデータファイル６から取得しデータを配信するデータ配信手段である。データファイル６はネットワークサービスのために蓄積されたコンテンツのデータファイルを格納しているコンテンツデータ記憶手段である。再アクセス要求時間発行部７はユーザアクセス監視部４からアクセス件数が所定の閾値を越えたことを知らせる信号が送信された場合に再アクセス要求時間を生成しユーザ端末３に対して再アクセス要求時間データ８を発行する再アクセス要求時間発行手段である。
【００１５】
再アクセス要求時間とは、ユーザ端末がネットワークサービス提供システム１に対してコンテンツ配信要求するために後で再びアクセスし直すことを要求する時間であり、再アクセス要求時間データ８は、再アクセス要求時間をユーザ端末へ送信するためのデータである。再アクセス要求時間データ８はユーザ端末３からのデータ配信要求のアクセス数が所定の閾値を越えるような場合にユーザ端末３に対して発行され、ユーザ端末３は再アクセス要求時間データ８を受信した後再アクセス要求時間になるまで待って再びネットワークサービス提供システム１にコンテンツの配信要求のアクセスをする。
【００１６】
データファイル６の更新時刻（例えば０時０分）において各ユーザ端末３がネットワークサービス提供システム１へ一斉にアクセスする。ユーザアクセス監視部４はユーザ端末３のコンテンツ配信要求を受けると共にユーザ端末３からのアクセス数が所定の閾値の範囲内であるか監視する。所定の閾値とは、ネットワークサービス提供システム１が、所定の時間間隔（例えば０時０分から０時５分までの５分間）においてコンテンツを配信できる最大処理件数に所定の安全係数（例えば９０％）を乗じた処理能力を表す数値である。ユーザ端末３からのアクセス数が所定の閾値を越えたとき、ユーザアクセス監視部４は再アクセス要求時間発行部７へ閾値を越えたことを示す信号を送信し継続してアクセス状況のデータを送信する。
【００１７】
再アクセス要求時間発行部７は、ユーザアクセス監視部４から閾値を越えたことを示す信号を受けると時間を所定の時間間隔に分割（例えば５分置き）した再アクセス要求時間を生成し、ユーザアクセス監視部４を経由してユーザ端末３に対して再アクセス要求時間データ８を発行する。
【００１８】
ユーザ端末３からのアクセス件数が、所定の閾値を越えた場合には、超えたところから０時５分の再アクセス要求時間を生成し、再アクセス要求時間データ８をユーザ端末３へ送信する。再アクセス要求時間データ８を受信したユーザ端末３は０時５分になるまで待って再びコンテンツ配信要求し、コンテンツのデータを受信する。
【００１９】
更に、既に０時５分の再アクセス要求時間データ８を発行した件数を加味して、０時５分から０時１０分までの５分間における最大処理能力の９０％の処理件数（所定の閾値）を越えた場合には、超えたところから０時１０分の再アクセス要求時間データ８を発行する。０時１０分の再アクセス要求時間データ８を受信したユーザ端末３は０時１０分になるまで待ってからコンテンツ配信サーバーに再アクセスする。再アクセス要求時間発行部７はユーザアクセス監視部４から送信される刻々と変化するアクセス状況によって再アクセス要求時間データ８の発行数をアクセス数が所定の閾値の範囲内になるように調整する。
【００２０】
ユーザアクセス監視部４及び再アクセス要求時間発行部７は再アクセスしてきたユーザ端末３の認証を行わない。再アクセス要求時間発行部７は再アクセス要求時間データ８を発行するだけであるので、事前の準備を必要とせず、配信要求が集中してもユーザ端末３に対して即座に応答しリアルタイムで再アクセス要求時間データ８を発行することが可能である。このようにしてネットワークサービス提供システム１の配信の処理能力に応じてコンテンツ配信の処理の分散を図り、極端な負荷集中を回避することができる。
【００２１】
図２は、ネットワークサービス提供システム１とユーザ端末３のデータの送受信を示すフロー図である。Ｓ１１においてユーザ端末３はデータファイル６が更新された直後にネットワークサービス提供システム１のユーザアクセス監視部４にコンテンツ配信要求を送信しアクセスを開始する。Ｓ１２においてネットワークサービス提供システム１のユーザアクセス監視部４が、ユーザ端末３からのコンテンツ配信要求を受信する。
【００２２】
ユーザアクセス監視部４がコンテンツ配信要求を受信すると、Ｓ１３においてユーザアクセス監視部４は、ユーザ端末３からのコンテンツ配信要求のアクセス数が所定の閾値の範囲内であるか比較する。所定の閾値はネットワークサービス提供システム１が所定の時間間隔（例えば５分間）において配信処理できる最大処理件数に所定の安全係数（例えば９０％）を乗じた数値である。ユーザ端末３からのアクセス数が所定の閾値を越えたとき、ユーザアクセス監視部４は再アクセス要求時間発行部７へ閾値を越えたことを示す信号を送信し継続してアクセス状況のデータを送信しＳ１４へ移る。
【００２３】
Ｓ１４において再アクセス要求時間発行部７が再アクセス要求時間を生成する。再アクセス要求時間発行部７は、配信要求されているコンテンツの大きさ、アクセス要求の件数の大きさ、アクセス頻度、データ配信部５の配信能力と業務量等を参照して、ユーザ端末３がアクセスする時間を所定の間隔に分割にして、アクセス数が所定の閾値の範囲内になるように再アクセス要求時間を生成する。
【００２４】
例えば、０時０分から０時５分までの５分間におけるデータ配信部５が配信処理できる最大処理能力の９０％の処理件数（所定の閾値）を超えた場合には、超えたところから０時５分の再アクセス要求時間の再アクセス要求時間を生成する。更に、既に０時５分の再アクセス要求時間データ８を発行した件数を加味して、０時５分から０時１０分までの５分間における最大処理能力の９０％の処理件数（所定の閾値）を越えた場合には、超えたところから０時１０分の再アクセス要求時間の再アクセス要求時間を生成する。このようにしてコンテンツ配信要求数に応じて再アクセス要求時間の生成を繰り返す。
【００２５】
上記の例では５分間隔としたが、コンテンツのデータ量が大きい場合は１０分間隔としたり、またデータ配信部５が別のコンテンツを同時に配信しておりデータ配信部５の配信処理が多くなっている場合やユーザ端末３からのコンテンツ配信要求のアクセス件数が閾値を大きく上回る場合においては時間の分割間隔を増加させてもよく、データ配信部５の負荷状態に合わせて適宜増減することができる。
【００２６】
Ｓ１５において再アクセス要求時間発行部７が生成した再アクセス要求時間を再アクセス要求時間データ８としてユーザ端末３に送信する。Ｓ１６においてユーザ端末３は再アクセス要求時間データ８を受信する。ユーザ端末３は再アクセス要求時間データ８の再アクセス要求時間を参照し、再アクセス要求時間になるまで待機する。
【００２７】
Ｓ１７においてユーザ端末３は再アクセス要求時間になったので、コンテンツ配信要求を再び送信する。Ｓ１８において、ユーザアクセス監視部４がユーザ端末３からの配信要求を受信する。
【００２８】
Ｓ１９においてデータ配信部５がデータファイル６から該当するコンテンツを取得して、ユーザ端末３にコンテンツを配信する。Ｓ２０においてユーザ端末３はコンテンツを受信する。
【００２９】
Ｓ１３においてユーザアクセス監視部４が、ユーザ端末３からのコンテンツ配信要求のアクセス数が所定の閾値の範囲内であるか比較し、閾値に達していなければＳ１９に移ってデータ配信部５がデータファイル６から該当するコンテンツを取得して、ユーザ端末３にコンテンツを配信する。
【００３０】
以上のように、ネットワークサービス提供システム１へ一斉にアクセスが集中する場合でも、再アクセス要求時間発行部７が、時間を所定の間隔に分割した再アクセス要求時間を生成して、再アクセス要求時間データ８を各ユーザ端末３にリアルタイムに発行し、ユーザ端末３はそれに従ってコンテンツ配信要求することによって、ネットワークサービス提供システム１への極端な負荷集中を回避することが可能となる。
【００３１】
本発明の実施例１においては以上の構成に限定されるもではなく種々の変形が可能である。
【実施例２】
【００３２】
図３は、本発明の実施例２に係るネットワークサービス提供システム９の構成を示すブロック図である。図３においてネットワークサービス提供システム９は、ユーザアクセス監視部４、データ配信部５、データファイル６と再アクセス要求時間発行部７は図１と同様である。実施例２が実施例１と異なる点は、ネットワークサービス提供システム９にアクセス鍵発行部１０、アクセス鍵データ１１、アクセス鍵検査部１２が追加されたことである。
【００３３】
アクセス鍵１３は、ユーザ端末３がネットワークサービス提供システム９に対してアクセスする権利があるかどうかを認証するための認証データである。アクセス鍵１３は再アクセス要求時間データ８のデータに関連付けられたデータを有しており、再アクセス要求時間データ８を受信したユーザ端末３が正規の再アクセス要求時間データ８によってアクセスすることを保証するものである。
【００３４】
アクセス鍵発行部１０はアクセス鍵１３を生成しユーザ端末３に対してアクセス鍵１３を発行するアクセス鍵発行手段である。アクセス鍵発行部１０はユーザアクセス監視部４からアクセス鍵生成の信号を受け、再アクセス要求時間発行部７で生成された再アクセス要求時間に関連付けられたアクセス鍵１３を生成しユーザ端末３へ送信する。アクセス鍵データ１１はアクセス鍵発行部１０によって生成されたアクセス鍵１３をデータベースとして格納するアクセス鍵データ記憶手段である。アクセス鍵検査部１２は、ユーザアクセス監視部４がユーザ端末３から受信したアクセス鍵１３が要求した所定の時間に再アクセスする権利があるかどうかを検査するアクセス鍵検査手段である。
【００３５】
アクセス鍵検査部１２がユーザ端末３から受信したアクセス鍵１３が正しいかどうかを検査する方法として、アクセス鍵検査部１２がユーザ端末３から受信したアクセス鍵１３のデータ内容を検査して現在の時間と比較することによってアクセス鍵１３が正しいかどうか検査する方法がある。アクセス鍵１３は再アクセス要求時間データ８のデータに関連付けられたデータを有しておりそのデータと現在の時間を比較する方法であって短時間で検査することが可能である。また時間アクセス鍵検査部１２がユーザ端末３から受信したアクセス鍵１３データとアクセス鍵データ１０に記憶されているデータとを比較し一致するかどうかを判定する方法がある。
【００３６】
再アクセス要求時間発行部７による再アクセス要求時間の生成と再アクセス要求時間データ８の発行については実施例１と同様である。再アクセス要求時間発行部７は再アクセス要求時間を生成し再アクセス要求時間データ８をユーザアクセス監視部４を経由してユーザ端末３へ送信する。アクセス鍵発行部１０もアクセス鍵１３をユーザアクセス監視部４を経由してユーザ端末３へ送信するが、アクセス鍵１３と再アクセス要求時間データ８は一組のデータとしてユーザ端末３に送信される。
【００３７】
ユーザアクセス監視部４はユーザ端末３からのコンテンツ配信要求に付加されたアクセス鍵１３を、アクセス鍵検査手段１１で確認し、アクセス鍵１３が現時間帯にアクセスが許可された鍵であることを確認できれば、データ配信部５がコンテンツのデータをデータファイル６から取得しユーザ端末３へ配信する。ユーザ端末３が許可時間の前後にアクセスしてもアクセス鍵を確認することにより、不要なコンテンツ配信を防止することができ、許可時間内にアクセスしたユーザ端末への円滑なコンテンツ配信が可能となる。
【００３８】
図４は、実施形態２におけるネットワークサービス提供システム９とユーザ端末３のデータの送受信を示すフロー図である。Ｓ２１においてユーザ端末３はネットワークサービス提供システム９のユーザアクセス監視部４にコンテンツ配信要求を送信しアクセスを開始する。Ｓ２２においてネットワークサービス提供システム９のユーザアクセス監視部４が、ユーザ端末３からのコンテンツ配信要求を受信する。
【００３９】
ユーザアクセス監視部４がコンテンツ配信要求を受信すると、Ｓ２３においてユーザアクセス監視部４は、ユーザ端末３からのコンテンツ配信要求のアクセス数が所定の閾値の範囲内であるか比較する。ユーザ端末３からのアクセス数が所定の閾値を越えたとき、ユーザアクセス監視部４は再アクセス要求時間発行部７へ閾値を越えたことを示す信号を送信し継続してアクセス状況のデータを送信しＳ２４へ移る。
【００４０】
Ｓ２４において再アクセス要求時間発行部７が再アクセス要求時間を生成する。再アクセス要求時間発行部７の再アクセス要求時間の生成工程は実施例１（図２のＳ１４）と同様であるのでここでは詳述しない。
【００４１】
Ｓ２５においてアクセス鍵発行部１０はユーザアクセス監視部４からアクセス鍵生成の信号を受け、再アクセス要求時間発行部７が生成する再アクセス要求時間に関連付けられたアクセス鍵１３を生成する。
【００４２】
Ｓ２６において生成されたアクセス鍵１３はユーザアクセス監視部４を経由して再アクセス要求時間データ８と組み合わされて一組のデータとなってユーザ端末３に送信される。またアクセス鍵発行部１０は生成したアクセス鍵１３をアクセス鍵データ１１へ送信し、アクセス鍵データ１１はアクセス鍵１３をデータベースとして格納する。
【００４３】
Ｓ２７においてユーザ端末３は再アクセス要求時間データ８とアクセス鍵１３を受信する。ユーザ端末３は再アクセス要求時間データ８の再アクセス要求時間を参照し、再アクセス要求時間になるまで待機する。
【００４４】
Ｓ２８においてユーザ端末３は再アクセス要求時間になったので、コンテンツ配信要求を再び送信する。ユーザ端末３は、Ｓ２７にて受信したアクセス鍵１３のデータを添付して送信する。Ｓ２９において、ユーザアクセス監視部４がユーザ端末３からの配信要求を受信する。ユーザアクセス監視部４は受信したアクセス鍵１３のデータをアクセス鍵検査部１２へ送信する。
【００４５】
Ｓ３０においてアクセス鍵検査部１２はユーザアクセス監視部４から受け取ったアクセス鍵１３とアクセス鍵データ１１に記憶されている該当するアクセス鍵のデータを比較し、ユーザアクセス監視部４に判定結果を送信する。またアクセス鍵１３は再アクセス要求時間データ８の再アクセス要求時間に関連付けられたデータを有しておりアクセス鍵１３の確認だけで再アクセス要求時間の範囲内にアクセスされたがどうかを即座に確認することもでき、状況に応じて検査方法を選択できる。
【００４６】
アクセス鍵１３が正しいと判定された場合には、Ｓ３１に移ってデータ配信部５はデータファイル６から該当するコンテンツを取得して、ユーザ端末３にコンテンツを配信する。Ｓ３２においてユーザ端末３はコンテンツを受信する。
【００４７】
アクセス鍵１３が不正であると判定された場合には、Ｓ３３に移ってユーザアクセス監視部４は、ユーザ端末３に配信不可の内容を示す案内を送信する。Ｓ３４においてユーザ端末３は配信不可の内容を示す案内を受信する。
【００４８】
Ｓ２３においてユーザアクセス監視部４が、ユーザ端末３からのコンテンツ配信要求のアクセス数が所定の閾値の範囲内であるか比較し、閾値に達していなければＳ３１に移ってデータ配信部５がデータファイル６から該当するコンテンツを取得して、ユーザ端末３にコンテンツを配信する。
【００４９】
以上のようにすることによって、許可時間前にアクセスしたり許可時間外にアクセスする不正なユーザ端末３によるネットワークサービス提供システム１に対する悪影響を防ぎ、且つ、正しい端末によるデータ取得を円滑化することができる。
【図面の簡単な説明】
【００５０】
【図１】本発明によるネットワークサービス提供システムの構成を示すブロック図。
【図２】ネットワークサービス提供システムとユーザ端末のデータの送受信を示すフロー図。
【図３】本発明の実施例２に係るネットワークサービス提供システムの構成を示すブロック図。
【図４】実施形態２におけるネットワークサービス提供システムとユーザ端末のデータの送受信を示すフロー図。
【図５】従来からのネットワークサービスにおけるネットワークサービス提供システムの一例を示すブロック図。
【符号の説明】
【００５１】
１  ネットワークサービス提供システム
２  ＩＰ網
３  ユーザ端末
４  ユーザアクセス監視部
５  データ配信部
６  データファイル
７  再アクセス要求時間発行部
８  再アクセス要求時間データ
９  ネットワークサービス提供システム
１０  アクセス鍵発行部
１１  アクセス鍵データ
１２  アクセス鍵検査部
１３  アクセス鍵
【図１】
2007299229.tif 000003
【図２】
2007299229.tif 000004
【図３】
2007299229.tif 000005
【図４】
2007299229.tif 000006
【図５】
2007299229.tif 000007